【手続補正書】
【提出日】平成18年4月10日(2006.4.10)
【手続補正１】
【補正対象書類名】特許請求の範囲
【補正対象項目名】全文
【補正方法】変更
【補正の内容】
【特許請求の範囲】
【請求項１】
電源から電池を充電する充電電流を制御する充電制御回路に充電の開始及び完了を指示する制御回路において、
前記充電制御回路は、前記電池が所定の充電特性に応じて充電されるように前記電池への充電を制御する第１の制御回路と、
前記電源からの電力供給が所定の制限を超えないように充電を制御する第２の制御回路と、
前記第２の制御回路により前記電池の充電が制御されていることを判別する判別手段とを有し、
前記判別手段の判別結果に基づき前記充電制御回路への充電完了指示を制御する制御手段を有することを特徴とする制御回路。
【請求項２】
電源から、電池への充電と負荷への電力供給を同時に行うよう充電を制御する充電制御回路に充電の開始及び完了を指示する制御回路において、
前記充電制御回路は、前記電池が所定の充電特性に応じて充電されるように前記電池への充電を制御する第１の制御回路と、
前記電源からの電力供給が所定の制限を超えないように充電を制御する第２の制御回路と、
前記第２の制御回路により前記電池の充電が制御されていることを判別する判別手段とを有し、
前記判別手段の判別結果に基づき前記充電制御回路への充電完了指示を制御する制御手段を有することを特徴とする制御回路。
【請求項３】
前記判別手段は、前記第１の制御回路により前記電池の  充電電流が制御されているのか、前記第２の制御回路により前記電池の充電電流が制御されているのかを判別することを特徴とする請求項１又は２に記載の制御回路。
【請求項４】
前記充電特性は、定電流により前記電池を充電することを特徴とする請求項１乃至３のいずれか一項に記載の制御回路。
【請求項５】
前記充電特性は、定電圧により前記電池を充電することを特徴とする請求項１乃至３のいずれか一項に記載の制御回路。
【請求項６】
前記電池の充電状態を検出する検出手段を有し、
前記判別手段の判別結果と前記検出手段の検出結果に応じて、充電の完了を判定する手段を有する請求項１乃至５のいずれか一項の記載の制御回路。
【請求項７】
前記電源には、複数の電池が接続されるものであり、前記第１の制御回路は、各電池毎に設けられることを特徴とする請求項１乃至５のいずれか一項の記載の制御回路。
【請求項８】
電源から電池を充電する充電電流を制御する充電装置において、
前記充電装置は、電池が所定の充電特性に応じて充電されるように前記電池への充電を制御する第１の制御回路と、
前記電源からの電力供給が所定の制限を超えないように充電を制御する第２の制御回路と、
前記第２の制御回路により前記電池の充電が制御されていることを判別する判別手段と、
前記判別手段の判別結果に基づき充電の完了を制御する制御手段とを有することを特徴とする充電装置。
【請求項９】
電源から、電池への充電と負荷への電力供給を同時に行うよう充電を制御する充電装置において、
前記電池が所定の充電特性に応じて充電されるように前記電池への充電を制御する第１の制御回路と、
前記電源からの電力供給が所定の制限を超えないように充電を制御する第２の制御回路と、
前記第２の制御回路により前記電池の充電が制御されていることを判別する判別手段と、
前記判別手段の判別結果に基づき充電の完了を制御する制御手段とを有することを特徴とする充電装置。
【請求項１０】
前記判別手段は、前記第１の制御回路により前記電池の充電電流が制御されているのか、
前記第２の制御回路により前記電池の充電電流が制御されているのかを判別することを特徴とする請求項８又は９に記載の充電装置。
【請求項１１】
前記充電特性は、定電流により前記電池を充電することを特徴とする請求項８又は９記載の充電装置。
【請求項１２】
前記充電特性は、定電圧により前記電池を充電することを特徴とする請求項８乃至１１のいずれか一項に記載の充電装置。
【請求項１３】
前記電池の充電状態を検出する検出手段を有し、
前記判別手段の判別結果と前記検出手段の検出結果に応じて、充電の完了を判定する手段を有する請求項８乃至１２のいずれか一項の記載の充電装置。
【請求項１４】
前記電源には、複数の電池が接続されるものであり、前記第１の制御回路は、各電池毎に設けられることを特徴とする請求項８乃至１２のいずれか一項の記載の充電装置。
【請求項１５】
電源から電池を充電する充電電流を制御する充電制御法方法において、
電池が所定の充電特性に応じて充電されるように前記電池への充電を制御する第１の手順と、
前記電源からの電力供給が所定の制限を超えないように充電を制御する第２の手順と、
前記第２の手順により前記電池の充電が制御されていることを判別する第３の手順と、
前記第３手順による判別結果に基づいて充電の完了を制御する第４の手順とを有することを特徴とする充電制御方法。
【請求項１６】
電源から、電池への充電と負荷への電力供給を同時に行うよう充電を制御する充電制御法方法において、
前記電池が所定の充電特性に応じて充電されるように前記電池への充電を制御する第１の手順と、
前記電源からの電力供給が所定の制限を超えないように充電を制御する第２の手順と、
前記第２の手順により前記電池の充電が制御されていることを判別する第３の手順と、
前記第３手順による判別結果に基づいて充電の完了を制御する第４の手順とを有することを特徴とする充電制御方法。
【請求項１７】
電源による電池への充電の開始及び完了を指示する制御回路において、
前記充電電流が規定値以下になったことを判定する第１の回路と、
前記電源の供給能力が制限状態であるか否かを検出する第２の回路と、
前記第１の回路により前記充電電流が規定値以下になったことが判定された場合に、前記第２の回路により前記電源の供給能力が制限状態である場合は充電動作を維持し、かつ、前記電源の供給能力が制限状態でない場合は充電完了を判定する第３の回路とを有することを特徴とする制御回路。
【手続補正２】
【補正対象書類名】明細書
【補正対象項目名】発明の名称
【補正方法】変更
【補正の内容】
【発明の名称】制御回路及び充電装置並びに充電制御方法
【手続補正３】
【補正対象書類名】明細書
【補正対象項目名】０００１
【補正方法】変更
【補正の内容】
【０００１】
本発明は制御回路及び充電装置並びに充電制御方法に係り、特に、電池の充電を制御する制御回路及び充電装置並びに充電制御方法に関する。
【手続補正４】
【補正対象書類名】明細書
【補正対象項目名】００６３
【補正方法】変更
【補正の内容】
【００６３】
そこで、本特許に於いては上記問題点を鑑み、充電用の定電圧定電流制御回路に於いて、充電電流の制限条件が電池の受入れ能力で制限されているのか、充電器側の都合で制限しているのかを識別するための信号を出力させることで、充電完了の誤検出を防止するようにした充電制御方式を提案するものである。又、本発明は充電回路の誤作動を防止できる制御回路及び充電装置並びに充電制御方法を提供することを目的とする。
【手続補正５】
【補正対象書類名】明細書
【補正対象項目名】００６４
【補正方法】変更
【補正の内容】
【００６４】
本発明は、電源から電池を充電する充電電流を制御する充電制御回路に充電の開始及び完了を指示する制御回路において、充電制御回路が、電池が所定の充電特性に応じて充電されるように電池への充電を制御する第１の制御回路と、電源からの電力供給が所定の制限を超えないように充電を制御する第２の制御回路と、第２の制御回路により前記電池の充電が制御されていることを判別する判別手段とを有し、判別手段の判別結果に基づき充電制御回路への充電完了指示を制御する制御手段を有することを特徴とする。
【手続補正６】
【補正対象書類名】明細書
【補正対象項目名】００６５
【補正方法】変更
【補正の内容】
【００６５】
また、本発明は、電源から、電池への充電と負荷への電力供給を同時に行うよう充電を制御する充電制御回路に充電の開始及び完了を指示する制御回路において、充電制御回路が、電池が所定の充電特性に応じて充電されるように電池への充電を制御する第１の制御回路と、電源からの電力供給が所定の制限を超えないように充電を制御する第２の制御回路と、第２の制御回路により前記電池の充電が制御されていることを判別する判別手段とを有し、判別手段の判別結果に基づき充電制御回路への充電完了指示を制御する制御手段を有することを特徴とする。
【手続補正７】
【補正対象書類名】明細書
【補正対象項目名】００６６
【補正方法】変更
【補正の内容】
【００６６】
さらに、本発明は、電源から電池を充電する充電電流を制御する充電装置において、充電装置が、電池が所定の充電特性に応じて充電されるように電池への充電を制御する第１の制御回路と、電源からの電力供給が所定の制限を超えないように充電を制御する第２の制御回路と、第２の制御回路により電池の充電が制御されていることを判別する判別手段と、判別手段の判別結果に基づき充電の完了を制御する制御手段とを有することを特徴とする。
【手続補正８】
【補正対象書類名】明細書
【補正対象項目名】００６７
【補正方法】変更
【補正の内容】
【００６７】
本発明は、電源から、電池への充電と負荷への電力供給を同時に行うよう充電を制御する充電装置において、電池が所定の充電特性に応じて充電されるように電池への充電を制御する第１の制御回路と、電源からの電力供給が所定の制限を超えないように充電を制御する第２の制御回路と、第２の制御回路により前記電池の充電が制御されていることを判別する判別手段と、判別手段の判別結果に基づき充電の完了を制御する制御手段とを有することを特徴とする。
【手続補正９】
【補正対象書類名】明細書
【補正対象項目名】００６８
【補正方法】変更
【補正の内容】
【００６８】
本発明は、電源から電池を充電する充電電流を制御する充電制御法方法において、電池が所定の充電特性に応じて充電されるように電池への充電を制御する第１の手順と、電源からの電力供給が所定の制限を超えないように充電を制御する第２の手順と、第２の手順により電池の充電が制御されていることを判別する第３の手順と、第３手順による判別結果に基づいて充電の完了を制御する第４の手順とを有することを特徴とする。
【手続補正１０】
【補正対象書類名】明細書
【補正対象項目名】００６９
【補正方法】変更
【補正の内容】
【００６９】
本発明は、電源から、電池への充電と負荷への電力供給を同時に行うよう充電を制御する充電制御法方法において、電池が所定の充電特性に応じて充電されるように電池への充電を制御する第１の手順と、電源からの電力供給が所定の制限を超えないように充電を制御する第２の手順と、第２の手順により電池の充電が制御されていることを判別する第３の手順と、第３手順による判別結果に基づいて充電の完了を制御する第４の手順とを有することを特徴とする。
また、本発明は、電源による電池への充電の開始及び完了を指示する制御回路において、充電電流が規定値以下になったことを判定する第１の回路と、電源の供給能力が制限状態であるか否かを検出する第２の回路と、第１の回路により充電電流が規定値以下になったことが判定された場合に、第２の回路により電源の供給能力が制限状態である場合は充電動作を維持し、かつ、電源の供給能力が制限状態でない場合は充電完了を判定する第３の回路とを有することを特徴とする。
【手続補正１１】
【補正対象書類名】明細書
【補正対象項目名】００７０
【補正方法】変更
【補正の内容】
【００７０】
本発明によれば、電池が所定の充電特性に応じて充電されるように電池への充電を制御し、電源からの電力供給が所定の制限を超えないように充電を制御し、電池の充電が制御されていることを判別しており、その判別結果に基づき充電の完了を制御することにより、電源の電流供給能力が制限状態であり、負荷に電流が供給され、電池の充電電流が低下したときに、電池の充電が完了したと誤検出するようなことがなくなる等の特長を有する。